(57)【要約】【課題】部品コストおよび組立工数を削減するとともに、簡単な操作で開閉を行うことができる蓋体の開閉構造を提供する。【解決手段】蓋体１７とカメラ本体１０とをヒンジ部品２４により連結する。ヒンジ部品２４は、薄板状の超弾性形状記憶合金からなり、蓋体１７の開閉により屈曲される屈曲部２７に複数のスリット２６が形成され、蓋体を開ける状態に形状記憶されている。蓋体１７をヒンジ部品２４に対して矢印ａ方向にスライド操作させることにより、カメラ本体１０との係合が解除され、蓋体１７が矢印ｂ方向に回動して自動的に開いた状態となる。【選択図】        図２
2004200397.tif 000002
【特許請求の範囲】
【請求項１】
本体部に開閉自在に取り付けられ、本体部と係合して閉じた状態となる蓋体の開閉構造において、
前記本体部と蓋体とを、蓋体を開ける状態に屈曲させた薄板からなるヒンジ部品を用いて連結するとともに、
前記蓋体をヒンジ部品に対してスライド操作させることにより、前記本体部との係合が解除され、蓋体が自動的に開いた状態となるポップアップ機能を備えたことを特徴とする蓋体の開閉構造。
【請求項２】
前記ヒンジ部品は、常温で前記蓋体を開ける状態に屈曲させた形状記憶合金からなることを特徴とする請求項１に記載の蓋体の開閉構造。
【請求項３】
前記ヒンジ部品の屈曲させた部分に複数のスリットを形成したことを特徴とする請求項１または２に記載の蓋体の開閉構造。
【請求項４】
前記ヒンジ部品にクリック突起を形成するとともに、
蓋体が閉じた状態で前記クリック突起と嵌合して蓋体をヒンジ部品にクリックストップさせ、
蓋体をスライド操作させたときにクリック突起が乗り越えてクリックストップが解除される凹部を、前記蓋体に形成したことを特徴とする請求項１乃至３に記載の蓋体の開閉構造。
【発明の詳細な説明】
【０００１】
【発明の属する技術分野】
本発明は、本体部に開閉自在に取り付けられ、本体部と係合して閉じた状態となる蓋体の開閉構造に関する。
【０００２】
【従来の技術】
デジタルカメラや携帯電話などの電子機器には、メモリカードやバッテリーなどを装填するスロット、パソコンやプリンタなどの外部機器に接続するための各種コネクタが設けられている。これらのスロットやコネクタは、防塵、防水を目的として、あるいは製品の外観を整えるために、開閉自在な蓋体で覆われている。
【０００３】
上記のような蓋体には、押圧操作することにより機器本体との係合が解除され、蓋体が自動的に開いた状態となるポップアップ機能を備えたものがある。このようなポップアップ機能を備えた蓋体は、回転軸に軸支されたヒンジ部品により機器本体に連結されている。また、機器本体との係合部分には、開きバネが設けられている。
【０００４】
一方、形状記憶合金、もしくは超弾性形状記憶合金からなるヒンジ部品を用いた折り畳み式携帯電話が提案されている（特許文献１参照）。この折り畳み式携帯電話は、ヒンジ部品が最適な通話条件となる形状に記憶されているため、手で操作をする必要がなく、取り扱いが簡単で且つ容易であるという利点を持つ。
【０００５】
【特許文献１】
特開平７−２６４２７４号公報
【０００６】
【発明が解決しようとする課題】
従来のポップアップ機能を備えた蓋体は、ヒンジ、回転軸、開きバネなど多くの部品を使用しているため、部品コストが嵩み、組立工数が掛かるという問題があった。一方、特許文献１に記載される折り畳み式携帯電話は、２本の棒状ヒンジのみで連結しているため、開いたときに捩れが起こる可能性があった。
【０００７】
本発明は、部品コストおよび組立工数を削減するとともに、簡単な操作で開閉を行うことができる蓋体の開閉構造を提供することを目的とする。
【０００８】
【課題を解決するための手段】
上記目的を達成するために、本発明は、本体部に開閉自在に取り付けられ、本体部と係合して閉じた状態となる蓋体の開閉構造において、前記本体部と蓋体とを、蓋体を開ける状態に屈曲させた薄板からなるヒンジ部品を用いて連結するとともに、前記蓋体をヒンジ部品に対してスライド操作させることにより、前記本体部との係合が解除され、蓋体が自動的に開いた状態となるポップアップ機能を備えたことを特徴とする。
【０００９】
なお、前記ヒンジ部品は、常温で前記蓋体を開ける状態に屈曲させた形状記憶合金からなることが好ましい。また、前記ヒンジ部品の屈曲させた部分に複数のスリットを形成することが好ましい。
【００１０】
さらに、前記ヒンジ部品にクリック突起を形成するとともに、蓋体が閉じた状態で前記クリック突起と嵌合して蓋体をヒンジ部品にクリックストップさせ、蓋体をスライド操作させたときにクリック突起が乗り越えてクリックストップが解除される凹部を、前記蓋体に形成したすることが好ましい。
【００１１】
【発明の実施の形態】
図１において、カメラ２のカメラ本体１０の正面には、撮影レンズ１１が組み込まれたレンズ鏡胴１２、およびファインダ対物窓１３が設けられている。カメラ本体１０の上面には、レリーズボタン１４が設けられており、このレリーズボタン１４を押圧操作することにより被写体の撮影が行われる。
【００１２】
カメラ本体１０の内部には、カメラ２の各部に電源を供給するバッテリー１５が装填されるバッテリースロット１６が形成されている。カメラ本体１０の下面には、このバッテリースロット１６を覆う蓋体１７が取り付けられている。
【００１３】
図２および図３に示すように、蓋体１７には、フック２０と、スライドガイド２１と、凹部２２と、抜け止め突起２３とが設けられている。この蓋体１７は、ヒンジ部品２４によりカメラ本体１０に連結されている。図４に示すように、ヒンジ部品２４は、薄板状の超弾性形状記憶合金からなり、蓋体１７を開ける状態に形状記憶されている。このヒンジ部品２４には、４個の取り付け穴２５と、等間隔に並んだ５カ所のスリット２６が形成された屈曲部２７と、ストッパー２８と、クリック突起２９とが形成されている。なお、ヒンジ部品２４は、蓋体１７を開ける状態に屈曲されていればよく、例えば板バネから構成してもよい。
【００１４】
蓋体１７は、フック２０がカメラ本体１０に設けられた図示しない係止穴に係合することで、図２に実線で示す閉じた状態に保持される。蓋体１７とカメラ本体１０との係合は、図２に示す矢印ａ方向に蓋体１７をスライド操作させることにより解除される。
【００１５】
スライドガイド２１には、ヒンジ部品２４の前端部分が挿入されている。このスライドガイド２１は、矢印ａ方向への蓋体１７のスライドを案内する。蓋体１７は、矢印ａ方向にスライド操作されると、ヒンジ部品２４の形状記憶により自動的に矢印ｂ方向に回動して、図２に一点鎖線で示す開いた状態となる。
【００１６】
凹部２２とヒンジ部品２４のクリック突起２９とは、クリック機構３０を構成している。蓋体１７が閉じた状態にあるときには、凹部２２とクリック突起２９とが嵌合され、蓋体１７がヒンジ部品２４にクリックストップされる。蓋体１７が矢印ａ方向にスライド操作されたときには、クリック突起２９が凹部２２を乗り越えてクリックストップが解除される。また、バッテリー１５をバッテリースロット１６に装着した後、蓋体１７を閉めるために蓋体１７が矢印ａ方向と反対方向にスライド操作されたときには、クリック突起２９が凹部２２に乗り上げて、再び蓋体１７がヒンジ部品２４にクリックストップされる。これにより、蓋体１７を確実且つ容易に閉じた状態にすることができる。
【００１７】
抜け止め突起２３は、蓋体１７が開いた状態にあるときにストッパー２８と当接して、蓋体１７の矢印ａ方向への抜け止めを行う。取り付け穴２５は、カメラ本体１０に設けられた取り付けリブ３１に嵌め込まれる。これにより、ヒンジ部品２４とカメラ本体１０とが連結される。なお、ヒンジ部品２４とカメラ本体１０とは、ビス止めや溶着により連結してもよい。
【００１８】
このような構成であると、回転軸や開きバネなどの部品を用いることなく、簡単な構成で蓋体１７にポップアップ機能を付加させることができる。また、蓋体１７を矢印ａ方向にスライド操作させてカメラ本体１０との係合を解除するだけで、ヒンジ部品２４の形状記憶により自動的に蓋体１７が開くので、操作性を向上させることができる。
【００１９】
なお、上記実施形態では、カメラ２のバッテリースロット１６を覆う蓋体１７を例として挙げたが、本発明はこれに限らず、ヒンジ部品により本体部と連結される蓋体であれば、あらゆるものに適用することができる。
【００２０】
【発明の効果】
以上のように、本発明の蓋体の開閉構造によれば、本体部と蓋体とを、蓋体を開ける状態に屈曲させた薄板からなるヒンジ部品を用いて連結するとともに、蓋体をヒンジ部品に対してスライド操作させることにより、本体部との係合が解除され、蓋体が自動的に開いた状態となるポップアップ機能を備えたので、部品コストおよび組立工数を削減するとともに、簡単な操作で開閉を行うことができる。
【００２１】
また、ヒンジ部品は常温で蓋体を開ける状態に屈曲させた形状記憶合金からなり、ヒンジ部品の屈曲させた部分に複数のスリットを形成したので、より操作性を向上させることができ、蓋体を開いたときの捩れを軽減させることができる。
【００２２】
さらに、ヒンジ部品にクリック突起を形成するとともに、蓋体が閉じた状態でクリック突起と嵌合して蓋体をヒンジ部品にクリックストップさせ、蓋体をスライド操作させたときにクリック突起が乗り越えてクリックストップが解除される凹部を蓋体に形成したので、蓋体を確実且つ容易に閉じた状態にすることができる。
【図面の簡単な説明】
【図１】本発明を実施したカメラの概観を示す正面図である。
【図２】バッテリースロット付近の拡大断面図である。
【図３】蓋体とヒンジ部品との位置関係を示す図であり（Ａ）はカメラ本体の下面からみた図、（Ｂ）はカメラ本体の左側面からみた断面図である。
【図４】ヒンジ部品の概観を示す斜視図である。
【符号の説明】
２  カメラ
１６  バッテリースロット
１７  蓋体
２１  スライドガイド
２２  凹部
２３  ストッパー
２４  ヒンジ部品
２６  スリット
２７  屈曲部
２８  抜け止め突起
２９  クリック突起
３０  クリック機構
【図１】
2004200397.tif 000003
【図２】
2004200397.tif 000004
【図３】
2004200397.tif 000005
【図４】
2004200397.tif 000006